(57)【要約】【課題】撮像素子、この撮像素子を用いて被写体距離を測定する測距装置、及び該測距装置を搭載する撮影装置において、測距の正確性を確保しつつ、小型化が可能な技術を提供する。【解決手段】最上部に位置するラインセンサ１０，１５の受光素子と最下部に位置するラインセンサ１４，１９の受光素子２６の数をそれぞれ従来の構成に比して減らし、受光部２４と出力部２５の面積を中心部に位置するラインセンサ１１〜１３，１６〜１８の受光素子２０と略同一にしつつ、Ｙ方向の幅をＲ１からＲ２に小さくした。【選択図】      図２
2004198888.tif 000002
【特許請求の範囲】
【請求項１】
一方向に配置された複数の受光素子からなる複数のラインセンサを、前記一方向と垂直な方向に配置して構成され、
周辺側に位置するラインセンサが、中心側に位置するラインセンサに比して、受光素子の数が少なくされ、且つ前記垂直方向の幅が小さくされていることを特徴とする撮像素子。
【請求項２】
前記周辺側に位置するラインセンサは、中心側に位置するラインセンサと各受光素子の受光面積が略同一であることを特徴とする請求項１に記載の撮像素子。
【請求項３】
前記垂直方向の幅を小さくしたラインセンサに隣接して、前記受光素子の動作を制御する制御回路を配設したことを特徴とする請求項１または２に記載の撮像素子。
【請求項４】
被写体の光像を結像する一対の光学系と、前記各光学系により結像された被写体の光像を光電変換する撮像素子とを備え、前記撮像素子は、請求項１ないし３のいずれかに記載の撮像素子であることを特徴とする測距装置。
【請求項５】
被写体の光像を撮影する撮影手段と、前記被写体までの距離を測定する測定手段と、焦点調節を行うフォーカスレンズを含み、前記撮影手段に前記被写体の光像を導く撮影光学系と、前記測定手段の出力に基づいて前記フォーカスレンズを光軸方向に駆動する駆動手段と、前記被写体の光像の撮影を指示するための操作手段と、前記操作手段が操作されると、前記駆動手段にフォーカスレンズの駆動を指示して焦点調節を行わせた後、前記撮影手段に露光動作を行わせる撮影制御手段とを備え、前記測定手段は、ラインセンサの出力に基づいて被写体距離を算出する算出手段を備えた請求項４に記載の測距装置であることを特徴とする撮影装置。
【発明の詳細な説明】
【０００１】
【発明の属する技術分野】
本発明は、被写体の光像を光電変換する撮像素子、この撮像素子を用いて被写体距離を測定する測距装置及びこの測距装置を備えたデジタルカメラ、銀塩カメラ、ビデオカメラ等の撮影装置に関する。
【０００２】
【従来の技術】
例えば、複数の光学系を介して結像された光像をそれぞれ光電変換動作を行う撮像素子により撮像し、各撮像素子からの出力に基づいて各光像の結像位置のずれ量を演算して、その位置ずれ量から被写体までの距離を測定する測距装置を搭載した撮影装置が広く知られている。
【０００３】
この種の撮影装置における測距装置にあっては、主被写体までの距離の測定（測距）を正確に行うためには、撮影範囲内の主被写体を確実に検出することが求められる。
【０００４】
このように撮影範囲内の主被写体を確実に検出すべく、下記特許文献１には、上記撮像素子を複数のラインセンサで構成し、且つ各ラインセンサを構成する受光素子の配列方向と垂直な方向に上記複数のラインセンサを所定の間隔で配置することで、測距装置が撮影範囲内の像をできるだけ広い範囲にわたって捉えられるように構成する技術が開示されている（特許文献１参照）。
【０００５】
【特許文献１】
特開平１１−１５３７５１号公報
【０００６】
【発明が解決しようとする課題】
ところで、近年、撮影装置の小型化の要求に伴って、上述の測距装置も小型化が要求されている。その小型化の一方法として、例えば、上記撮像素子におけるラインセンサの本数を減らしたり、あるいは上記ラインセンサを構成する受光素子のサイズ（受光面積）を小さくしたりすることで測距装置の小型化が可能である。
【０００７】
しかしながら、ラインセンサの本数を減らすという前者の方法では、上述したように、主被写体でない被写体までの距離を測距装置が測定する可能性が高くなるため、正確な測距が困難になるという問題が生じる。
【０００８】
また、受光素子のサイズ（受光面積）を小さくするという後者の方法では、該受光素子の信号レベルに対してノイズの割合が大きくなる（Ｓ／Ｎが小さくなる）ため、光感度が低下することとなる。したがって、特に、被写体からの光量が十分でない場合（被写体が比較的暗い場合）には、確実に被写体を撮像することができなくなる。
【０００９】
本発明は、上記に鑑みてなされたものであり、撮像素子、この撮像素子を用いて被写体距離を測定する測距装置、及び該測距装置を搭載する撮影装置において、測距の正確性を確保しつつ、小型化が可能な技術を提供することを目的とする。
【００１０】
【課題を解決するための手段】
請求項１に記載の発明は、一方向に配置された複数の受光素子からなる複数のラインセンサを、前記一方向と垂直な方向に配置して構成され、周辺側に位置するラインセンサが、中心側に位置するラインセンサに比して、受光素子の数が少なくされ、且つ前記垂直方向の幅が小さくされていることを特徴とする撮像素子である。
【００１１】
この発明によれば、撮像素子の周辺側に位置するラインセンサを、中心側に位置するラインセンサに比して、受光素子の数を少なくし、且つ受光素子の配置方向と垂直な方向の幅を小さくして構成したので、撮像素子を上記垂直方向に小さくすることが可能となる。
【００１２】
請求項２に記載の発明は、請求項１に記載の撮像素子において、前記周辺側に位置するラインセンサは、中心側に位置するラインセンサと各受光素子の受光面積が略同一であることを特徴とするものである。
【００１３】
この発明によれば、周辺側に位置するラインセンサの各受光素子の受光面積を、中心側に位置するラインセンサの各受光素子の受光面積と略同一にしたので、従来と略同等のＳ／Ｎが得られる。したがって、光感度の低下を防止または抑制することができる。
【００１４】
請求項３に記載の発明は、請求項１または２に記載の撮像素子において、前記垂直方向の幅を小さくしたラインセンサに隣接して、前記受光素子の動作を制御する制御回路を配設したことを特徴とするものである。
【００１５】
この発明によれば、受光素子の配置方向と垂直な方向の幅を小さくした前記ラインセンサに隣接して、前記受光素子の動作を制御する制御回路を配設したので、例えば、ラインセンサの上記垂直方向の幅を小さくしたことにより生じたスペースに制御回路を配設したり、あるいは、上記垂直方向の幅を小さくしたラインセンサと隣接するラインセンサとの間隔を詰めた後、空いたスペースに制御回路を配設したりすることで、撮像素子を小型化することができる。
【００１６】
なお、前記垂直方向の幅を小さくしたラインセンサと前記中心側に位置するラインセンサとの間に、上記のように制御回路を配設する態様の他に、前記垂直方向の幅を小さくしたラインセンサと略同一の幅を有するラインセンサをさらに備える態様としてもよく、この場合には、ラインセンサの上記垂直方向の幅を小さくしたことにより生じたスペースに、垂直な方向の幅を小さくしたラインセンサをさらに備えることで、撮像素子が上記垂直方向に大きくなるのを防止または抑制しつつ、被写体の光像をより広い範囲で捉えて主被写体をより確実に検出することができる。
【００１７】
請求項４に記載の発明は、被写体の光像を結像する一対の光学系と、前記各光学系により結像された被写体の光像を光電変換する撮像素子とを備え、前記撮像素子は、請求項１ないし３のいずれかに記載の撮像素子であることを特徴とする測距装置である。
【００１８】
この発明によれば、請求項１または３に記載の撮像素子を測距装置に搭載した場合には、撮像素子の小型化が可能となることにより、測距装置を小型化することができ、請求項２に記載の撮像素子を測距装置に搭載した場合には、撮像素子の光感度の低下を防止または抑制しつつ、測距装置を小型化することができる。
【００１９】
請求項５に記載の発明は、被写体の光像を撮影する撮影手段と、前記被写体までの距離を測定する測定手段と、焦点調節を行うフォーカスレンズを含み、前記撮影手段に前記被写体の光像を導く撮影光学系と、前記測定手段の出力に基づいて前記フォーカスレンズを光軸方向に駆動する駆動手段と、前記被写体の光像の撮影を指示するための操作手段と、前記操作手段が操作されると、前記駆動手段にフォーカスレンズの駆動を指示して焦点調節を行わせた後、前記撮影手段に露光動作を行わせる撮影制御手段とを備え、前記測定手段は、ラインセンサの出力に基づいて被写体距離を算出する算出手段を備えた請求項４に記載の測距装置であることを特徴とする撮影装置である。
【００２０】
この発明によれば、請求項１または３に記載の撮像素子を備えた測距装置を搭載した場合には、測距装置の小型化が可能となることにより、撮影装置を小型化することができ、請求項２に記載の撮像素子を備えた測距装置を搭載した場合には、撮像素子の光感度の低下を防止または抑制しつつ、撮影装置を小型化することができる。
【００２１】
【発明の実施の形態】
本発明に係る撮影装置の一実施形態について説明する。
【００２２】
図１は、本実施形態に係る撮影装置のブロック図である。
【００２３】
図１に示すように、撮影装置１は、被写体までの距離を検出する被写体距離検出部２と、検出された被写体距離に基づき撮像光学系を矢印Ａに示す方向に駆動して焦点調節を行う駆動部３と、被写体の光像を撮像素子４に結像する撮像光学系５と、結像された被写体の光像を受光して光電変換する撮像素子４とを備える。
【００２４】
被写体距離検出部２は、撮像光学系の光軸と異なる光軸を有し、並列に配置された一対の測距用光学系６，７と、測距用光学系６，７の略結像面に配置された測距センサ８と、測距センサ８からの信号により被写体距離を算出するマイクロコンピュータ９とを備えてなる。本実施形態においては、以下に説明するように、測距センサ８の構成に特徴を有している。
【００２５】
図２（ａ）は、従来の測距センサ８の構成を示す図、図２（ｂ）は、本実施形態における測距センサ８の構成を示す図、図２（ｃ）は、従来の測距センサ８による測距範囲を示す図、図２（ｄ）は、本実施形態における測距センサ８による測距範囲を示す図である。なお、図２（ａ）〜（ｄ）においては、制御回路２０〜２３の図示は省略している。
【００２６】
図２（ｂ）に示すように、測距センサ８は、複数のラインセンサ１０〜１９と、各ラインセンサ１０〜１９に対してデータ転送用のクロック信号を生成する制御回路２０〜２３（図１参照）とを備えて構成されている。
【００２７】
ラインセンサ１０〜１９の長手方向をＸ方向、該Ｘ方向に垂直な方向をＹ方向というものとすると、ラインセンサ１０〜１４からなるラインセンサ群と、ラインセンサ１５〜１９からなるラインセンサ群とがＸ方向に隣接して配設されているとともに、各ラインセンサ群において、ラインセンサ１０〜１４及びラインセンサ１５〜１９は、Ｙ方向に略平行に配設されている。
【００２８】
そして、図２（ｄ）に示すように、ラインセンサ１０〜１４からなるラインセンサ群の撮像面には、測距用光学系６により被写体像が結像される一方、ラインセンサ１５〜１９からなるラインセンサ群の撮像面には、測距用光学系７により被写体像が結像される。
【００２９】
ラインセンサ１０〜１９は、被写体からの光を受光して光電変換する受光部２４と、受光部２４による光電変換動作により発生した電荷を画像信号として制御回路２０〜２３に出力する出力部２５とを有してなる複数の受光素子２６が、Ｘ方向に配置して構成されているものである。なお、図２において、受光素子２６を交互に異なる模様で図示しているが、受光素子２６の構造上の違いを示すものではない。
【００３０】
図３は、ラインセンサ１０〜１９の構造を示す図である。
【００３１】
図３に示すように、受光部２４は、フォトダイオード等からなり、受光により発生した電荷を蓄積する。出力部２５は、増幅器２７、スイッチ２８及びシフトレジスタ２９を備えてなり、制御回路２０〜２３（図１参照）から送出されるクロックＣＫＴにより、スイッチ２８がオンオフ制御され、クロックＣＫＴに応じて受光部２４に蓄積された上記の電荷は、増幅器２７及びスイッチ２８を介してシフトレジスタ２９に送られる。
【００３２】
シフトレジスタ２９には、制御回路２０〜２３から転送用のクロックＣＫＲが供給され、シフトレジスタ２９に送られた電荷は各受光素子２６ごとに順番に矢印Ｂの方向に転送される。なお、クロックＣＫＲは主として２相又は３相のクロックである。そして、出力側に存在する浮遊拡散容量３０及び増幅器３１によって信号電圧Ｖｏが生成される。これにより、ラインセンサ１０〜１９から信号電圧Ｖｏが出力される。
【００３３】
上記の構成を有する測距センサ８において、従来では、図２（ａ）に示すように、ラインセンサ１０〜１９をすべて同一サイズとし、一定の間隔で配設していたところ、本実施形態では、最上部に位置するラインセンサ１０，１５の受光素子と最下部に位置するラインセンサ１４，１９における受光素子２６の数をそれぞれ従来の構成に比して減らし（図２では１６個から８個に減らしている）、受光部２４と出力部２５の面積を中心部に位置するラインセンサ１１〜１３，１６〜１８の受光素子２０と略同一にしつつ、Ｙ方向の幅をＲ１からＲ２に小さくしている。
【００３４】
なお、上記のように受光素子２０の数を減らすと、その分、受光素子２０から出力される、被写体距離の検出するための信号の数が減少するため、被写体距離の検出分解能が低下する。
【００３５】
しかし、本実施形態においては、被写体距離検出部２の測距用光学系６，７は、撮像光学系５と異なる光軸を有しており、且つ、測距用光学系６，７の位置は固定されていることから、ラインセンサ１０〜１９がそれぞれ撮像する領域の大きさは、撮像光学系５の焦点距離が変更（撮影倍率の変更）されても一定である。換言すれば、図４（ａ）に示すように、ある焦点距離のときにラインセンサ１０〜１９の各撮像領域が撮影範囲Ｐの上部から下部に亘って存在しているものとすると、その状態から撮像光学系５の焦点距離が大きく設定された場合、図４（ｂ）に示すように、ラインセンサ１０〜１９の撮像領域の大きさは、撮影範囲Ｐの大きさに対して相対的に大きくなる。
【００３６】
そして、図４（ｂ）に示すように、焦点距離が大きく設定されたことで、最上部に位置するラインセンサ１０，１５及び最下部に位置するラインセンサ１４，１９で撮像される領域が、撮影範囲Ｐからはみ出す（撮像素子４による撮影範囲からはみ出す）と、最上部に位置するラインセンサ１０，１５及び最下部に位置するラインセンサ１４，１９からの信号は、測距のための演算を行う上で使用されなくなる。
【００３７】
また、仮に、図４（ａ）に示すように、最上部に位置するラインセンサ１０，１５及び最下部に位置するラインセンサ１４，１９で撮像される領域が撮影範囲Ｐからはみ出ない状態で撮影が行われる場合であっても、被写体距離の測定対象となる主被写体Ｓは、撮影範囲Ｐの中央側に位置する場合が多く、周辺側に位置することは少ない。
【００３８】
これらのことから、最上部に位置するラインセンサ１０，１５及び最下部に位置するラインセンサ１４，１９には、必ずしも高い撮像の分解能を備える必要はなく、中央側に位置するラインセンサ１１〜１３，１６〜１８が高い撮像分解能を備えていれば、最上部及び最下部に位置するラインセンサ１０，１５，１４，１９の受光素子２６の数を少なくしても、測距を行う上で実用上問題とはならないと考えられる。
【００３９】
以上の点を考慮して、最上部に位置するラインセンサ１０，１５と最下部に位置するラインセンサ１４，１９の受光素子２６の数を従来の構成に比して減らしている。
【００４０】
図２（ｄ）に示すように、最下部のラインセンサ１４，１９における受光部２４のＹ方向の幅を小さくした分だけ、測距センサ８による測距範囲は図２（ｃ）に示す従来のものと比べて小さくなるが、この測距範囲の縮小量は微小であり（Ｌ１≒Ｌ２）、本実施形態における測距センサ８は、従来と略同等の測距範囲を有するとみなすことができる。なお、図２（ｃ），（ｄ）は、測距センサ８による測距範囲を示すため、出力部２５の図示は省略している。
【００４１】
このように、中央側に位置するラインセンサ１１〜１３，１６〜１８に高い撮像分解能を備えたまま、最上部及び最下部のラインセンサ１０，１５，１４，１９の受光素子２６の数を減らし、受光部２４の面積を略一定に保ちながら、Ｙ方向の幅を（Ｒ１−Ｒ２）だけ小さくしたので、測距センサ８をＹ方向に長さ（Ｒ１−Ｒ２）だけ小さくすることができる。その結果、測距の正確性を略維持しつつ、撮影装置１を小型化することができる。
【００４２】
また、受光素子２６の総数を減らしたから、その分、測距センサ８から出力される電気信号の数が減り、電気信号の読み出し時間を短縮することができる。
【００４３】
さらに、最上部及び最下部のラインセンサ１０，１５，１４，１９の受光素子２６をＹ方向に小さくするに際し、受光部２４の面積を略一定に保つようにしたので、従来と略同等のＳ／Ｎが得られ、光感度の低下を防止または抑制することができる。
【００４４】
また、仮に、受光部２４の受光面積を変化させた場合には、これに伴って受光部２４の出力に生じるノイズも変化するため、Ｙ方向の幅を小さくしていない中央側に位置するラインセンサ１１〜１３，１６〜１８の受光素子２６と同等のＳ／Ｎを得るには、そのラインセンサ１１〜１３，１６〜１８の受光素子２６と、受光部２４の光電変換動作に要する時間を異ならせる必要があるが、本実施形態では、受光部２４の面積を略一定に保つようにしたので、各ラインセンサ１０〜１９による光電変換動作に要する時間を統一して制御することができ、制御回路２３やその制御プログラムの複雑化を回避することができる。
【００４５】
なお、図２においては、ラインセンサ１０〜１９の上端の位置を固定した状態で、最上部及び最下部のラインセンサ１０，１５，１４，１９のＹ方向の幅を小さくしたので、最下部のラインセンサ１４，１９の縮小分しか測距センサ８を小型化することができないが、最上部及び最下部のラインセンサ１０，１５，１４，１９のＹ方向の幅を小さくした後、最上部のラインセンサ１０，１５とそれらに隣接するラインセンサ１３，１８との間隔を、他のラインセンサ間の間隔と略等しくなるように間隔を詰めると、さらに最上部のラインセンサ１０，１５の縮小分、測距センサ８を小型化することができる。
【００４６】
また、図２（ｂ）に示す縮小後のラインセンサ１４，１９について、図５（ａ）に示すように、受光部２４及び出力部２５の位置を上下逆にし、受光部２４の下端位置が図５（ｂ）に示す従来の構成における受光部２４の下端位置と一致するように配置すると、図５（ｃ）に示すように、測距センサ８の測距範囲は従来の構成と同じになり、測距の正確性が低下するのを防止することができる。
【００４７】
次に、本発明の第２の実施形態について説明する。
【００４８】
本実施形態は、測距センサ８の構成のみが異なり、ブロック構成をはじめとする他の部分については第１の実施形態と略同様であるから、その相違点についてのみ説明する。
【００４９】
図６（ａ）は、従来の測距センサ８の構成を示す図、図６（ｂ）は、本実施形態における測距センサ８の構成を示す図、図６（ｃ）は、従来の測距センサ８による測距範囲を示す図、図６（ｄ）は、本実施形態における測距センサ８による測距範囲を示す図である。なお、図６（ａ）〜（ｄ）においても、制御回路２０〜２３の図示は省略している。
【００５０】
図６（ｂ）に示すように、本実施形態においては、第１の実施形態のように、最上部と最下部に位置するラインセンサ１０，１５，１４，１９の受光素子２６の数を減らし、受光部２４の面積と出力部２５の面積とを略一定に保ちつつ、そのＹ方向の幅を小さくした上で、これにより生じたスペースに、縮小後の幅を有するラインセンサ３２〜３５を追加して設けたものである。
【００５１】
すなわち、最上部のラインセンサ１０，１５を縮小したことにより該ラインセンサ１０，１５とラインセンサ１１，１６との間に生じたスペースＰ１，Ｐ２にラインセンサ３２，３３を追加して配設し、最下部のラインセンサ１４，１９を縮小したことにより該ラインセンサ１４，１９の下側に生じたスペースＰ３，Ｐ４にラインセンサ３４，３５を追加してそれぞれ配設している。なお、図６に示すスペースＰ１〜Ｐ４は、図２の点線で示すスペースＰ１〜Ｐ４に対応するものである。
【００５２】
これにより、本実施形態における測距センサ８は、第１の実施形態ほど小型化することはできないが、図６（ｃ），（ｄ）に示すように、測距センサ８による測距範囲がｚだけＹ方向により広くなるため、より確実に被写体距離を測定することができる。
【００５３】
次に、本発明の第３の実施形態について説明する。
【００５４】
本実施形態は、第２の実施形態と同様、測距センサ８の構成のみが異なり、ブロック構成をはじめとする他の部分については第１の実施形態と略同様であるから、その相違点についてのみ説明する。
【００５５】
図７（ａ）は、従来の測距センサ８の構成を示す図、図７（ｂ）は、本実施形態における測距センサ８の構成を示す図である。
【００５６】
第２の実施形態においては、受光部２４の面積及び出力部２５の面積を略一定に保ちつつ、Ｙ方向の幅を小さくするとともに、Ｙ方向の幅を小さくしたことにより生じたスペースＰ１〜Ｐ４に、縮小後の幅を有するラインセンサ３２〜３５を追加して設けたが、本実施形態では、図７（ｂ）に示すように、そのスペースＰ１〜Ｐ４に受光素子２６の動作を制御する制御回路２０〜２３を配設したものである。なお、図７に示すスペースＰ１〜Ｐ４は、図２の点線で示すスペースＰ１〜Ｐ４に対応するものである。
【００５７】
すなわち、図７（ａ）に示すように、従来では、周辺部のラインセンサ１０，１４，１５，１９の外側に配置していた制御回路２０〜２３について、上側の制御回路２０，２２を、最上部のラインセンサ１０，１５を小さくしたことにより該ラインセンサ１０，１５とラインセンサ１１，１６との間に生じたスペースＰ１，Ｐ２に配設する。また、下側の制御回路２１，２３を最下部のラインセンサ１４，１９を小さくしたことにより該ラインセンサ１４，１９の下側に生じたスペースＰ３，Ｐ４にそれぞれ配設している。
【００５８】
これにより、ラインセンサ１０，１５，１４，１９のＹ方向の幅を小さくした分、測距センサ８、延いては撮影装置１を小型化することができる。
【００５９】
なお、第１〜第３の実施形態において、最上部に位置するラインセンサ１０，１５及び最下部に位置するラインセンサ１４，１９には、高い撮像の分解能を備えていなくても、測距を行う上で特に問題とはならないことから、受光素子２６の数を減らし、受光素子２６のＸ方向の密度（Ｘ方向の撮像分解能）を小さくしたが、Ｙ方向についても同様の観点から、受光素子２６（ラインセンサ）のＹ方向の密度（Ｙ方向の撮像分解能に相当）も、周辺側が中心側に比して小さくなるようにしてもよい。
【００６０】
また、第１〜第３の実施形態において、最上部及び最下部に位置するラインセンサ１０，１５，１４，１９について受光素子２６の数を減らしＹ方向の幅を小さくしたが、受光素子２６の数を減らしＹ方向の幅を小さくする対象のラインセンサは最上部及び最下部のものに限られず、必要に応じて、最上部及び最下部を含む周辺側のラインセンサについて、受光素子２６の数を減らせばよい。例えば、より周辺側に位置するラインセンサほど、受光素子２６の数を減らし、且つＹ方向の幅を小さくするようにするとよい。
【００６１】
【発明の効果】
請求項１に記載の発明によれば、撮像素子の周辺側に位置するラインセンサを、中心側に位置するラインセンサに比して、受光素子の数を少なくし、且つ受光素子の配置方向と垂直な方向の幅を小さくして構成したので、撮像素子を上記垂直方向に小さくすることができる。
【００６２】
請求項２に記載の発明によれば、周辺側に位置するラインセンサの各受光素子の受光面積を、中心側に位置するラインセンサの各受光素子の受光面積と略同一にしたので、従来と略同等のＳ／Ｎが得られる。したがって、光感度の低下を防止または抑制することができる。
【００６３】
請求項３に記載の発明によれば、受光素子の配置方向と垂直な方向の幅を小さくした前記ラインセンサに隣接して、前記受光素子の動作を制御する制御回路を配設したので、例えば、ラインセンサの上記垂直方向の幅を小さくしたことにより生じたスペースに制御回路を配設したり、あるいは、上記垂直方向の幅を小さくしたラインセンサと隣接するラインセンサとの間隔を詰めた後、空いたスペースに制御回路を配設したりすることで、撮像素子を小型化することができる。
【００６４】
請求項４に記載の発明によれば、請求項１または３に記載の撮像素子を測距装置に搭載した場合には、撮像素子の小型化が可能となることにより、測距装置を小型化することができ、請求項２に記載の撮像素子を測距装置に搭載した場合には、撮像素子の光感度の低下を防止または抑制しつつ、測距装置を小型化することができる。
【００６５】
請求項５に記載の発明によれば、請求項１または３に記載の撮像素子を備えた測距装置を搭載した場合には、測距装置の小型化が可能となることにより、撮影装置を小型化することができ、請求項２に記載の撮像素子を備えた測距装置を搭載した場合には、撮像素子の光感度の低下を防止または抑制しつつ、撮影装置を小型化することができる。
【図面の簡単な説明】
【図１】本発明の実施形態に係る撮影装置のブロック図である。
【図２】（ａ）は、従来の測距センサの構成を示す図、（ｂ）は、第１の実施形態における測距センサの構成を示す図、（ｃ）は、従来の測距センサによる測距範囲を示す図、（ｄ）は、第１の実施形態における測距センサによる測距範囲を示す図である。
【図３】ラインセンサの構造を示す図である。
【図４】最上部及び最下部に位置するラインセンサの受光素子の数を従来の構成に比して減らした理由を説明するための図である。
【図５】第１の実施形態における測距センサの変形例である。
【図６】（ａ）は、従来の測距センサの構成を示す図、（ｂ）は、第２の実施形態における測距センサの構成を示す図、（ｃ）は、従来の測距センサによる測距範囲を示す図、（ｄ）は、第２の実施形態における測距センサによる測距範囲を示す図である。
【図７】（ａ）は、従来の測距センサの構成を示す図、（ｂ）は、第３の実施形態における測距センサの構成を示す図である。
【符号の説明】
１    撮影装置
２    被写体距離検出部
５    撮像光学系
６，７測距用光学系
８    測距センサ
１０〜１９，３２〜３５  ラインセンサ
２０〜２３  制御回路
２４  受光部
２５  出力部
２６  受光素子
【図１】
2004198888.tif 000003
【図２】
2004198888.tif 000004
【図３】
2004198888.tif 000005
【図４】
2004198888.tif 000006
【図５】
2004198888.tif 000007
【図６】
2004198888.tif 000008
【図７】
2004198888.tif 000009